(57)【要約】【課題】  特定の入力チャンネルから供給される音響信号を除外又は減衰させてミキシングを行う設定を、容易かつ確実に行えるようにする。【解決手段】  デジタルミキサにおいて、入力ｃｈ４０からＭＩＸ＿ＭＩＮＵＳタイプのバスに対する信号送出経路に、ＭＯスイッチ５５ａとＭＯＬフェーダ５６ａとを設け、入力ｃｈ４０の信号を、ＭＯスイッチ５５ａがオフの場合にはそのまま、ＭＯスイッチ５５ｂがオンの場合にはＭＯＬフェーダ５６ａによりレベル調整した上でＭＩＸバスに供給する。さらに、ＭＯスイッチ５５ａをオフからオンにする場合に、ＭＯＬフェーダ５６ａによるレベル調整量を、通過する信号をゼロレベルにするような値に設定する。【選択図】        図３
2011071803.tif 000002
【特許請求の範囲】
【請求項１】
各々複数の入力チャンネルから供給される音響信号を混合する第１及び第２のミキシングバスと、
前記複数の入力チャンネルの各々に対応し、対応する入力チャンネルに入力する音響信号の特性を調整して前記第１のミキシングバスに供給する複数の第１の調整手段と、
前記複数の入力チャンネルの各々について、オンオフ状態を示す第１のパラメータと、レベルを示す第２のパラメータとを記憶する記憶手段と、
前記複数の入力チャンネルの各々に対応し、（１）対応する入力チャンネルについての前記第１のパラメータの値がオンである場合には、その入力チャンネルの音響信号を、その入力チャンネルについての前記第２のパラメータの値に従ってレベルを制御した上で前記第２のミキシングバスに供給し、（２）対応する入力チャンネルについての前記第１のパラメータの値がオフである場合には、その入力チャンネルの音響信号を、そのまま前記第２のミキシングバスに供給する複数の第２の調整手段と、
ユーザの操作に応じて、前記入力チャンネルの１つについて前記記憶手段が記憶している前記第１のパラメータの値のオンオフ状態を変更すると共に、該パラメータの値をオフからオンに変更する場合に、該１つの入力チャンネルについて前記記憶手段が記憶している前記第２のパラメータの値を、前記第２の調整手段による制御で入力チャンネルの音響信号がゼロレベルになる値に設定する第１のパラメータ制御手段と、
ユーザの操作に応じて、前記入力チャンネルの１つについて前記記憶手段が記憶している前記第２のパラメータの値を変更する第２のパラメータ制御手段とを有することを特徴とするデジタルミキサ。
【請求項２】
請求項１に記載のデジタルミキサであって、
前記第１のパラメータ制御手段は、ある入力チャンネルについて前記第１のパラメータの値がオンに設定されている場合でも、さらに別の入力チャンネルについて前記第１のパラメータの値をオンに設定できることを特徴とするデジタルミキサ。
【請求項３】
請求項１又は２に記載のデジタルミキサであって、
表示器と、
前記表示器に、前記入力チャンネルの１つに対応付けて、前記記憶手段が該入力チャンネルについて記憶している前記第１のパラメータの値を示す１つのボタン操作子を表示させるとともに、（１）該第１のパラメータの値がオンである場合には、前記記憶手段が該入力チャンネルについて記憶している前記第２のパラメータの値も表示させ、（２）該第１のパラメータの値がオフである場合には、前記記憶手段が該入力チャンネルについて記憶している前記第２のパラメータの値を表示させない表示制御手段とを有し、
前記第１のパラメータ制御手段は、前記表示器に表示された前記ボタン操作子に対する操作に応じて対応する第１のパラメータの値を変更し、
前記第２のパラメータ制御手段は、前記表示器に表示された前記第２のパラメータの値に対する操作に応じて対応する第２のパラメータの値を変更することを特徴とするデジタルミキサ。
【請求項４】
表示器と、
各々複数の入力チャンネルから供給される音響信号を混合する第１及び第２のミキシングバスと、
前記複数の入力チャンネルの各々に対応し、対応する入力チャンネルに入力する音響信号の特性を調整して前記第１のミキシングバスに供給する複数の第１の調整手段と、
前記第２のミキシングバスのタイプを、第１乃至第３のタイプのうちいずれかに設定するタイプ設定手段と、
前記複数の入力チャンネルの各々について、（１）前記第２のミキシングバスが前記第１のタイプである場合には、オンオフ状態を示す第１のパラメータと、レベルを示す第２のパラメータとを記憶し、（２）前記第２のミキシングバスが前記第２のタイプである場合には、オンオフ状態を示す第３のパラメータを記憶し、（３）前記第２のミキシングバスが前記第３のタイプである場合には、オンオフ状態を示す第４のパラメータと、レベルを示す第５のパラメータとを記憶する記憶手段と、
前記複数の入力チャンネルの各々に対応し、前記第２のミキシングバスが前記第１のタイプである場合に機能して、（１）対応する入力チャンネルについての前記第１のパラメータの値がオンである場合には、その入力チャンネルの音響信号を、その入力チャンネルについての前記第２のパラメータの値に従ってレベルを制御した上で前記第２のミキシングバスに供給し、（２）対応する入力チャンネルについての前記第１のパラメータの値がオフである場合には、その入力チャンネルの音響信号を、そのまま前記第２のミキシングバスに供給する複数の第２の調整手段と、
前記複数の入力チャンネルの各々に対応し、前記第２のミキシングバスが前記第２のタイプである場合に機能して、（１）対応する入力チャンネルについての前記第３のパラメータの値がオンである場合には、その入力チャンネルの音響信号を、そのまま前記第２のミキシングバスに供給し、（２）対応する入力チャンネルについての前記第３のパラメータの値がオフである場合には、その入力チャンネルの音響信号を前記第２のミキシングバスに供給しない複数の第３の調整手段と、
前記複数の入力チャンネルの各々に対応し、前記第２のミキシングバスが前記第３のタイプである場合に機能して、（１）対応する入力チャンネルについての前記第４のパラメータの値がオンである場合には、その入力チャンネルの音響信号を、その入力チャンネルについての前記第５のパラメータの値に従ってレベルを制御した上で前記第２のミキシングバスに供給し、（２）対応する入力チャンネルについての前記第４のパラメータの値がオフである場合には、その入力チャンネルの音響信号を前記第２のミキシングバスに供給しない複数の第４の調整手段と、
前記表示器に、前記入力チャンネルの１つに対応付けて、該入力チャンネルについて前記記憶手段に記憶しているパラメータの値を表示するための表示部として、ボタン表示部及びレベル表示部を表示させ、（１）前記第２のミキシングバスが前記第１のタイプである場合には、前記ボタン表示部に前記第１のパラメータの値を表示させるとともに、（１ａ）該第１のパラメータの値がオンである場合には、前記レベル表示部に前記第２のパラメータの値を表示させ、（１ｂ）該第１のパラメータの値がオフである場合には、前記レベル表示部に信号のレベル調整を行わずに送出する旨の表示をさせ、（２）前記第２のミキシングバスが前記第２のタイプである場合には、前記ボタン表示部に前記第３のパラメータの値を表示させるとともに、（２ａ）該第３のパラメータの値がオンである場合には、前記レベル表示部に信号のレベル調整を行わずに送出する旨の表示をさせ、（２ｂ）該第３のパラメータの値がオフである場合には、前記レベル表示部に前記第２のミキシングバスへ信号を送出しない旨の表示をさせ、（３）前記第２のミキシングバスが前記第３のタイプである場合には、前記ボタン表示部に前記第４のパラメータの値を表示させるとともに、（３ａ）該第４のパラメータの値がオンである場合には、前記レベル表示部に前記第５のパラメータの値を表示させ、（３ｂ）該第４のパラメータの値がオフである場合には、前記レベル表示部に、前記第４のパラメータの値と、前記第２のミキシングバスへ信号を送出しない旨との表示をさせる表示制御手段と、
前記表示器に表示された前記表示部に対するユーザの操作に応じて、前記記憶手段が記憶している前記第１乃至第５のパラメータの値を制御するパラメータ制御手段であって、（１）前記１つの入力チャンネルと前記第１のタイプの第２のミキシングバスとに対応付けて表示された前記ボタン表示部及び前記レベル表示部に関して、該ボタン表示部に対するユーザの操作に応じて、前記記憶手段が記憶している該１つの入力チャンネル及び該第２のミキシングバスに対応する前記第１のパラメータの値のオンオフ状態を変更すると共に、該第１のパラメータの値をオフからオンに変更する場合に、対応する第２のパラメータの値をゼロレベルに設定し、また、該レベル表示部が第２のパラメータの値を表示している場合、該レベル表示部に対するユーザの操作に応じて、同対応する前記第２のパラメータの値を変更し、（２）前記１つの入力チャンネルと前記第２のタイプの第２のミキシングバスとに対応付けて表示された前記ボタン表示部に関して、該ボタン表示部に対するユーザの操作に応じて、前記記憶手段が記憶している該１つの入力チャンネル及び該第２のミキシングバスに対応する前記第３のパラメータの値のオンオフ状態を変更し、（３）前記１つの入力チャンネルと前記第３のタイプの第２のミキシングバスとに対応付けて表示された前記ボタン表示部及び前記レベル表示部に関して、該ボタン表示部に対するユーザの操作に応じて、前記記憶手段が記憶している該１つの入力チャンネル及び該第２のミキシングバスに対応する第４のパラメータのオンオフ状態を変更し、また、該レベル表示部に対するユーザの操作に応じて、同対応する第５のパラメータの値を変更するパラメータ制御手段とを有し、
前記表示制御手段による前記（１ｂ）及び前記（２ａ）における信号のレベル調整を行わずに送出する旨の表示の態様は、前記第２のミキシングバスのタイプによらず共通であり、前記（１ａ）及び前記（３ａ）におけるパラメータの値の表示の態様も、前記第２のミキシングバスのタイプによらず共通であることを特徴とするデジタルミキサ。
【発明の詳細な説明】
【技術分野】
【０００１】
この発明は、複数の入力チャンネル（ｃｈ）の各々からミキシングバスへ供給される音響信号を混合するデジタルミキサに関する。
【背景技術】
【０００２】
従来から、複数の入力ｃｈの各々からミキシングバスへ供給される音響信号を混合するデジタルミキサにおいて、各入力ｃｈについて、各バスへの信号送出経路における出力オンオフやレベル調整等のパラメータを設定可能とすることが行われている。
また、ミキシングバスのタイプを設定可能とし、入力ｃｈからミキシングバスへの信号供給経路において行う信号処理の内容を、送出先のバスのタイプに応じた内容のものとすることも行われている。例えば、ＶＡＲＩタイプの場合、ミキシングバスへ送出する音響信号の所得位置の切り換え、送出オンオフ切り換え及びレベル調整を行い、ＦＩＸタイプの場合、所得位置及びレベルは固定でオンオフ切り換えのみを行う等である。
【０００３】
一方、複数の入力ｃｈのうち任意の１つの入力ｃｈからの信号が、ミキシングバスに供給されないようにする設定を半自動で行う、「ミックスマイナス」という機能も知られている。このような機能は例えば、アナウンサーがミキシングされた音声をモニタしながらマイクに音声を入力する場合に、ミキシング時の遅延によりモニタ用音声で自分の声が遅れて聞こえてしゃべりづらくなることを防止するため、最終的なミキシング結果からアナウンサーの声を除いたモニタ用音声信号を生成する、といった用途で利用される。
このようなミックスマイナス機能については、例えば特許文献１及び非特許文献１，２に記載されている。
【先行技術文献】
【特許文献】
【０００４】
【特許文献１】特許第３９１８６７６号公報
【非特許文献】
【０００５】
【非特許文献１】「ＰＭ５Ｄ／ＰＭ５Ｄ−ＲＨ  Ｖ２  ＤＳＰ５Ｄ  取扱説明書」，ヤマハ株式会社，２００４年，ｐ．２９３〜２９７
【非特許文献２】「ＰＭ１ＤシステムソフトウェアＶ１．５追補マニュアル」，ヤマハ株式会社，２００２年，ｐ．５８〜６０
【発明の概要】
【発明が解決しようとする課題】
【０００６】
しかしながら、特許文献１及び非特許文献１，２に記載のような従来のデジタルミキサにおけるミックスマイナス機能は、単に、除外しようとする入力ｃｈからミキシングバスへの信号送出経路における信号処理のパラメータを、信号を供給しないような値（例えばレベル調整を−∞ｄＢ）に設定するものであった。
【０００７】
従って、ミックスマイナス機能を使って設定を行った場合でも、現在デジタルミキサにおいてミックスマイナス機能を利用した処理が行われているのか、また行われているのはどの部分か、といったことが容易に把握できないという問題があった。例えば、各入力ｃｈからあるミキシングバスへの信号供給に関するパラメータを眺めても、そのパラメータがミックスマイナス機能を使って設定されたものか否かが、容易に把握できなかった。
【０００８】
また、ミックスマイナス機能を使って設定したパラメータの値であっても、その後他のパラメータの値と同様に如何様にでも変更することができるため、ちょっとした操作ミスで、ミックスマイナス機能を使って設定した信号処理状態が容易に崩れてしまうという問題もあった。
また、従来のデジタルミキサにおけるミックスマイナス機能では、除外しようとする入力ｃｈからの信号を完全にミュートする設定しかできず、所望のレベルは残したいといった要望には対応できないという問題もあった。
【０００９】
この発明は、このような問題を解決し、複数の入力チャンネルから供給される音響信号をミキシングバスで混合するデジタルミキサにおいて、特定の入力チャンネルから供給される音響信号を除外又は減衰させてミキシングを行う設定を、容易かつ確実に行えるようにすることを目的とする。
【課題を解決するための手段】
【００１０】
上記の目的を達成するため、この発明のデジタルミキサは、各々複数の入力チャンネルから供給される音響信号を混合する第１及び第２のミキシングバスと、上記複数の入力チャンネルの各々に対応し、対応する入力チャンネルに入力する音響信号の特性を調整して上記第１のミキシングバスに供給する複数の第１の調整手段と、上記複数の入力チャンネルの各々について、オンオフ状態を示す第１のパラメータと、レベルを示す第２のパラメータとを記憶する記憶手段と、上記複数の入力チャンネルの各々に対応し、（１）対応する入力チャンネルについての上記第１のパラメータの値がオンである場合には、上記第１の調整手段による調整後のその入力チャンネルの音響信号を、その入力チャンネルについての上記第２のパラメータの値に従ってレベルを制御した上で上記第２のミキシングバスに供給し、（２）対応する入力チャンネルについての上記第１のパラメータの値がオフである場合には、その入力チャンネルの音響信号を、そのまま上記第２のミキシングバスに供給する複数の第２の調整手段と、ユーザの操作に応じて、上記入力チャンネルの１つについて上記記憶手段が記憶している上記第１のパラメータの値のオンオフ状態を変更すると共に、そのパラメータの値をオフからオンに変更する場合に、その１つの入力チャンネルについて上記記憶手段が記憶している上記第２のパラメータの値を、上記第２の調整手段による制御で入力チャンネルの音響信号がゼロレベルになる値に設定する第１のパラメータ制御手段と、ユーザの操作に応じて、上記入力チャンネルの１つについて上記記憶手段が記憶している上記第２のパラメータの値を変更する第２のパラメータ制御手段とを設けたものである。
【００１１】
このようなデジタルミキサにおいて、上記第１のパラメータ制御手段が、ある入力チャンネルについて上記第１のパラメータの値がオンに設定されている場合でも、さらに別の入力チャンネルについて上記第１のパラメータの値をオンに設定できるものであるとよい。
【００１２】
さらに、表示器と、上記表示器に、上記入力チャンネルの１つに対応付けて、上記記憶手段がその入力チャンネルについて記憶している上記第１のパラメータの値を示す１つのボタン操作子を表示させるとともに、（１）その第１のパラメータの値がオンである場合には、上記記憶手段がその入力チャンネルについて記憶している上記第２のパラメータの値も表示させ、（２）その第１のパラメータの値がオフである場合には、上記記憶手段がその入力チャンネルについて記憶している上記第２のパラメータの値を表示させない表示制御手段とを設け、上記第１のパラメータ制御手段は、上記表示器に表示された上記ボタン操作子に対する操作に応じて対応する第１のパラメータの値を変更し、上記第２のパラメータ制御手段が、上記表示器に表示された上記第２のパラメータの値に対する操作に応じて対応する第２のパラメータの値を変更するようにするとよい。
【００１３】
また、この発明の別のデジタルミキサは、表示器と、各々複数の入力チャンネルから供給される音響信号を混合する第１及び第２のミキシングバスと、上記複数の入力チャンネルの各々に対応し、対応する入力チャンネルに入力する音響信号の特性を調整して上記第１のミキシングバスに供給する複数の第１の調整手段と、上記第２のミキシングバスのタイプを、第１乃至第３のタイプのうちいずれかに設定するタイプ設定手段と、上記複数の入力チャンネルの各々について、（１）上記第２のミキシングバスが上記第１のタイプである場合には、オンオフ状態を示す第１のパラメータと、レベルを示す第２のパラメータとを記憶し、（２）上記第２のミキシングバスが上記第２のタイプである場合には、オンオフ状態を示す第３のパラメータを記憶し、（３）上記第２のミキシングバスが上記第３のタイプである場合には、オンオフ状態を示す第４のパラメータと、レベルを示す第５のパラメータとを記憶する記憶手段と、上記複数の入力チャンネルの各々に対応し、上記第２のミキシングバスが上記第１のタイプである場合に機能して、（１）対応する入力チャンネルについての上記第１のパラメータの値がオンである場合には、その入力チャンネルの音響信号を、その入力チャンネルについての上記第２のパラメータの値に従ってレベルを制御した上で上記第２のミキシングバスに供給し、（２）対応する入力チャンネルについての上記第１のパラメータの値がオフである場合には、その入力チャンネルの音響信号を、そのまま上記第２のミキシングバスに供給する複数の第２の調整手段と、上記複数の入力チャンネルの各々に対応し、上記第２のミキシングバスが上記第２のタイプである場合に機能して、（１）対応する入力チャンネルについての上記第３のパラメータの値がオンである場合には、その入力チャンネルの音響信号を、そのまま上記第２のミキシングバスに供給し、（２）対応する入力チャンネルについての上記第３のパラメータの値がオフである場合には、その入力チャンネルの音響信号を上記第２のミキシングバスに供給しない複数の第３の調整手段と、上記複数の入力チャンネルの各々に対応し、上記第２のミキシングバスが上記第３のタイプである場合に機能して、（１）対応する入力チャンネルについての上記第４のパラメータの値がオンである場合には、その入力チャンネルの音響信号を、その入力チャンネルについての上記第５のパラメータの値に従ってレベルを制御した上で上記第２のミキシングバスに供給し、（２）対応する入力チャンネルについての上記第４のパラメータの値がオフである場合には、その入力チャンネルの音響信号を上記第２のミキシングバスに供給しない複数の第４の調整手段と、上記表示器に、上記入力チャンネルの１つに対応付けて、その入力チャンネルについて上記記憶手段に記憶しているパラメータの値を表示するための表示部として、ボタン表示部及びレベル表示部を表示させ、（１）上記第２のミキシングバスが上記第１のタイプである場合には、上記ボタン表示部に上記第１のパラメータの値を表示させるとともに、（１ａ）その第１のパラメータの値がオンである場合には、上記レベル表示部に上記第２のパラメータの値を表示させ、（１ｂ）その第１のパラメータの値がオフである場合には、上記レベル表示部に信号のレベル調整を行わずに送出する旨の表示をさせ、（２）上記第２のミキシングバスが上記第２のタイプである場合には、上記ボタン表示部に上記第３のパラメータの値を表示させるとともに、（２ａ）その第３のパラメータの値がオンである場合には、上記レベル表示部に信号のレベル調整を行わずに送出する旨の表示をさせ、（２ｂ）その第３のパラメータの値がオフである場合には、上記レベル表示部に上記第２のミキシングバスへ信号を送出しない旨の表示をさせ、（３）上記第２のミキシングバスが上記第３のタイプである場合には、上記ボタン表示部に上記第４のパラメータの値を表示させるとともに、（３ａ）その第４のパラメータの値がオンである場合には、上記レベル表示部に上記第５のパラメータの値を表示させ、（３ｂ）その第４のパラメータの値がオフである場合には、上記レベル表示部に、上記第４のパラメータの値と、上記第２のミキシングバスへ信号を送出しない旨との表示をさせる表示制御手段と、上記表示器に表示された上記表示部に対するユーザの操作に応じて、上記記憶手段が記憶している上記第１乃至第５のパラメータの値を制御するパラメータ制御手段であって、（１）上記１つの入力チャンネルと上記第１のタイプの第２のミキシングバスとに対応付けて表示された上記ボタン表示部及び上記レベル表示部に関して、そのボタン表示部に対するユーザの操作に応じて、上記記憶手段が記憶しているその１つの入力チャンネル及びその第２のミキシングバスに対応する上記第１のパラメータの値のオンオフ状態を変更すると共に、その第１のパラメータの値をオフからオンに変更する場合に、対応する第２のパラメータの値をゼロレベルに設定し、また、そのレベル表示部が第２のパラメータの値を表示している場合、そのレベル表示部に対するユーザの操作に応じて、同対応する上記第２のパラメータの値を変更し、（２）上記１つの入力チャンネルと上記第２のタイプの第２のミキシングバスとに対応付けて表示された上記ボタン表示部に関して、そのボタン表示部に対するユーザの操作に応じて、上記記憶手段が記憶しているその１つの入力チャンネル及びその第２のミキシングバスに対応する上記第３のパラメータの値のオンオフ状態を変更し、（３）上記１つの入力チャンネルと上記第３のタイプの第２のミキシングバスとに対応付けて表示された上記ボタン表示部及び上記レベル表示部に関して、そのボタン表示部に対するユーザの操作に応じて、上記記憶手段が記憶しているその１つの入力チャンネル及びその第２のミキシングバスに対応する第４のパラメータのオンオフ状態を変更し、また、そのレベル表示部に対するユーザの操作に応じて、同対応する第５のパラメータの値を変更するパラメータ制御手段とを有し、上記表示制御手段による上記（１ｂ）及び上記（２ａ）における信号のレベル調整を行わずに送出する旨の表示の態様が、上記第２のミキシングバスのタイプによらず共通であり、上記（１ａ）及び上記（３ａ）におけるパラメータの値の表示の態様も、上記第２のミキシングバスのタイプによらず共通であるものである。
【発明の効果】
【００１４】
以上のようなこの発明のデジタルミキサによれば、複数の入力チャンネルから供給される音響信号をミキシングバスで混合するデジタルミキサにおいて、特定の入力チャンネルから供給される音響信号を除外又は減衰させてミキシングを行う設定を、容易かつ確実に行えるようにすることができる。
【図面の簡単な説明】
【００１５】
【図１】この発明の実施形態であるデジタルミキサのハードウェア構成を示す図である。
【図２】図１に示したＤＳＰで実行される信号処理の構成をより詳細に示す図である。
【図３】同じくＤＳＰにおける信号処理のうち、各入力ｃｈからＳＴバス及びＭＩＸバスへの信号の入力に関する部分の構成を示す図である。
【図４】図１に示したデジタルミキサのコンソールの概略構成を示す図である。
【図５】図４に示したタッチスクリーンに表示させるＭＩＸバス設定画面の例を示す図である。
【００１６】
【図６】同じく入力ｃｈ画面の例を示す図である。
【図７】図１に示したデジタルミキサのカレントメモリに記憶させるデータの構成を示す図である。
【図８】図１に示したＣＰＵがバスタイプ設定部の操作を検出した場合に実行する処理のフローチャートである。
【図９】同じく送出設定部の表示を行う場合の処理のフローチャートである。
【図１０】同じくＯＮパラメータの変更操作を検出した場合の処理のフローチャートである。
【００１７】
【図１１】同じくＳＬパラメータの変更操作を検出した場合の処理のフローチャートである。
【図１２】同じくＭＯ＿ＯＮパラメータの変更操作を検出した場合の処理のフローチャートである。
【図１３】同じくＭＯＬパラメータの変更操作を検出した場合の処理のフローチャートである。
【発明を実施するための形態】
【００１８】
以下、この発明を実施するための形態を図面に基づいて具体的に説明する。
まず、この発明の実施形態であるデジタルミキサの構成について説明する。図１は、そのデジタルミキサの構成を示すブロック図である。
図１に示す通り、このデジタルミキサ１０は、ＣＰＵ１１，フラッシュメモリ１２，ＲＡＭ１３，外部機器入出力部（Ｉ／Ｏ）１４，表示器１５，操作子１６，波形Ｉ／Ｏ１７，信号処理部（ＤＳＰ）１８を備え、これらがシステムバス１９によって接続されている。そして、複数の入力チャンネル（ｃｈ）から入力する音響信号に対して種々の信号処理を施して複数の出力ｃｈから出力する機能を有する。
【００１９】
そして、ＣＰＵ１１は、このデジタルミキサ１０の動作を統括制御する制御手段であり、フラッシュメモリ１２に記憶された所要のプログラムを実行することにより、外部機器Ｉ／Ｏ１４及び波形Ｉ／Ｏ１７におけるデータ及び信号の入出力や表示器１５における表示を制御したり、操作子１６の操作を検出してその操作に従ってパラメータの値の設定／変更や各部の動作を制御したりといった処理を行う。
【００２０】
フラッシュメモリ１２は、ＣＰＵ１１が実行する制御プログラム等を記憶する書き換え可能な不揮発性記憶手段である。
ＲＡＭ１３は、一時的に記憶すべきデータを記憶したり、ＣＰＵ１１のワークメモリとして使用したりする記憶手段である。
【００２１】
外部機器Ｉ／Ｏ１４は、種々の外部機器を接続し入出力を行うためのインタフェースであり、例えば外部のディスプレイ、マウス、文字入力用のキーボード、操作パネル等を接続するためのインタフェースが用意される。そして、本体の表示器１５や操作子１６をごく単純な構成にしたとしても、これらの外部機器を活用することによりパラメータの設定／変更や動作指示を行うことができるようにすることも考えられる。
【００２２】
表示器１５は、ＣＰＵ１１による制御に従って種々の情報を表示する表示手段であり、例えば液晶パネル（ＬＣＤ）や発光ダイオード（ＬＥＤ）によって構成することができる。ここで説明する例では、デジタルミキサ１０は、表示器１５として少なくともパラメータの値の参照や設定の受付を行うためのグラフィカル・ユーザ・インタフェース（ＧＵＩ）を表示できるサイズのＬＣＤを備える。
操作子１６は、デジタルミキサ１０に対する操作を受け付けるためのものであり、種々のキー、ボタン、ロータリーエンコーダ、スライダ等によって構成することができる。ここでは、表示器１５であるＬＣＤに積層したタッチパネルも用いている。
【００２３】
波形Ｉ／Ｏ１７は、ＤＳＰ１８で処理すべき音響信号の入力を受け付け、また処理後の音響信号を出力するためのインタフェースである。そして、この波形Ｉ／Ｏ１７には、１枚で４チャンネル（ｃｈ）のアナログ入力が可能なＡ／Ｄ変換ボード，１枚で４ｃｈのアナログ出力が可能なＤ／Ａ変換ボード，１枚で８ｃｈのデジタル入出力が可能なデジタル入出力ボードを適宜組み合わせて複数枚装着可能であり、実際にはこれらのボードを介して信号の入出力を行う。
【００２４】
ＤＳＰ１８は、信号処理回路を含み、波形Ｉ／Ｏ１７から入力する音響信号に対し、カレントデータとして設定されている各種処理パラメータに従って、ミキシング、イコライジング等の各種信号処理を施して波形Ｉ／Ｏ１７に出力する信号処理部である。この処理に用いるパラメータを含むカレントデータは、ＲＡＭ１３上あるいはＤＳＰ１８自身に備えるメモリ上に設けられたカレントメモリに記憶されており、ユーザは、表示器１５と操作子１６とを用いて、そのデータの値を確認したり、変更したりすることができる。
【００２５】
次に、図２に、図１に示したＤＳＰ１８で実行される信号処理の構成をより詳細に示す。
この図に示すように、ＤＳＰ１８での信号処理は、入力パッチ３３，入力ｃｈ４０，ステレオ（ＳＴ）バス６０，ミキシング（ＭＩＸ）バス７０，ＳＴ出力ｃｈ８１，ＭＩＸ出力ｃｈ８２，出力パッチ３４を有する。
【００２６】
そして、ＤＳＰ１８においては、２４ｃｈある入力ｃｈ４０にそれぞれ、波形Ｉ／Ｏ１７に入力端子と対応するように用意されたアナログ入力ポート３１及びデジタル入力ポート３２のいずれかをパッチ（結線）し、各入力ｃｈでは、パッチされたポートから入力する信号に対してアッテネータ，イコライザ等により信号処理を行った後、ＳＴバス６０及び１２系統のＭＩＸバス７０のうちの任意のバスに対して処理後の信号を送出する。この送出については、入力ｃｈ４０とバスの組み合わせ毎にオンオフ及びレベル調整を行うことが可能である。
【００２７】
また、ＳＴバス６０及び各ＭＩＸバス７０では、各入力ｃｈ４０から入力する信号をミキシングし、第１のバスであるＳＴバス６０においてミキシングされた信号はＳＴ出力ｃｈ８１に、第２のバスであるＭＩＸバス７０においてミキシングされた信号はその各系統に対応して設けられる１２ｃｈのＭＩＸ出力ｃｈ８２に出力する。そして、各出力ｃｈ８１，８２では、対応するバスから入力する信号に対してイコライザ、コンプレッサ等により信号処理を行い、その処理後の信号を、出力パッチ３４により波形Ｉ／Ｏ１７に出力端子と対応するように用意されたアナログ出力ポート３５及びデジタル出力ポート３６にパッチし、パッチ先の出力ポートから出力する。
なお、ＤＳＰ１８に設けるこれらの各部による信号処理の内容は、カレントメモリに記憶される所定のパラメータの値を設定することにより制御可能であり、また、各部の機能は、ソフトウェアによって実現してもハードウェアによって実現してもよい。
【００２８】
次に、図３に、ＤＳＰ１８における信号処理のうち、各入力ｃｈからＳＴバス及びＭＩＸバスへの信号の入力に関する部分の構成を示す。
図３に示す通り、各入力ｃｈ４０にはそれぞれ、アッテネータ４１，イコライザ４２，コンプレッサ４３，ｃｈフェーダ４４，オンスイッチ４５を設けている。また、その先の、ＳＴバス６０に信号を入力する経路には、第１の調整手段としてＴＯ＿ＳＴ（トゥーステレオ）スイッチ４６及びパン４７を設けている。
【００２９】
そして、このような入力ｃｈ４０に入力した信号は、アッテネータ４１において、アッテネータパラメータに基づき信号処理に適したレベルに調整され、イコライザ４２において、イコライザパラメータに基づきその周波数特性が調整され、コンプレッサ４３において、コンプレッサパラメータに基づきその振幅が動的な変化特性に基づき調整され、ｃｈフェーダ４４において、フェーダパラメータに基づきＳＴバスでのミキシングに適したレベルに調整される。ｃｈフェーダ４４から出力される信号は、オンスイッチ４５及びＴＯ＿ＳＴスイッチ４６を、それぞれ、対応するオンパラメータがオンであれば通過し、パン４７において、ステレオパンパラメータに基づきＬ用とＲ用に個別にレベル調整され、それぞれＬとＲのＳＴバス６０に入力される。
【００３０】
また、各ＭＩＸバス７０に信号を入力する経路には、バス２本からなるグループ毎に、そのバスのタイプに応じた送出部を設けている。このタイプとしては、ＦＩＸ（第２のタイプ），ＶＡＲＩ（第３のタイプ）及びＭＩＸ＿ＭＩＮＵＳ（第１のタイプ）の３つから選択した任意の１つをグループ毎に設定可能である。
【００３１】
そして、このうちＦＩＸが設定されているバスについては、第３の調整手段として、２本のバスのそれぞれに対応するセンドオンスイッチ５１ａ，５１ｂを設けている。図では１番目及び２番目のＭＩＸバスからなるグループMIX1,2がこのＦＩＸのタイプである。
そして、これらの送出部では、送出先のバス毎に、入力チャンネルの経路のうちのオンスイッチ４５の後の信号が、センドオンスイッチ５１ａ，５１ｂを、対応するオン（ＯＮ）パラメータの値がオンであれば通過し、送出先のバスに入力される。
【００３２】
ＶＡＲＩが設定されているバスについては、第４の調整手段として、２本のバスのそれぞれに対応する、プリ／ポスト（ＰＲＥ／ＰＯＳＴ）スイッチ５２ａ，５２ｂ、センドレベルフェーダ５３ａ，５３ｂ、およびセンドオンスイッチ５４ａ，５４ｂを含む送出部を設けている。図では３番目及び４番目のＭＩＸバスからなるグループMIX3,4がこのＶＡＲＩのタイプである。
【００３３】
そして、これらの送出部では、送出先のバス毎に、ＰＲＥ／ＰＯＳＴスイッチ５２ａ，５２ｂにおいて、入力チャンネルの経路のうちのプリ（ＰＲＥ）パラメータに応じた位置（ＰＲＥならｃｈフェーダ４４の前、ＰＯＳＴならオンスイッチ４５の後）の信号が選択され、該選択された信号は、センドレベルフェーダ５３ａ，５３ｂにおいて、センドレベル（ＳＬ）パラメータに基づき当該バスでのミキシングに適したレベルに調整され、センドオンスイッチ５４ａ，５４ｂを、対応するオン（ＯＮ）パラメータがオンであれば通過し、送出先のバスに入力される。
【００３４】
ＭＩＸ＿ＭＩＮＵＳが設定されているバスについては、第２の調整手段として、２本のバスにそれぞれ対応する、マイナスワン（ＭＯ）スイッチ５５ａ，５５ｂ及びマイナスワンレベル（ＭＯＬ）フェーダ５６ａ，５６ｂを設けている。図では７番目及び８番目のＭＩＸバスからなるグループMIX7,8及び１１番目及び１２番目のＭＩＸバスからなるグループMIX11,12がこのＭＩＸ＿ＭＩＮＵＳのタイプである。
【００３５】
そして、これらの送出部では、送出先のバス毎に、入力チャンネルの経路のうちのオンスイッチ４５の後の信号が、ＭＯスイッチ５５ａ，５５ｂと対応するマイナスワン（ＭＯ＿ＯＮ）パラメータがオン（第１の状態）であれば、ＭＯＬフェーダ５６ａ，５６ｂにおいて、ＭＯＬパラメータに基づき所望のゲインでレベル調整され、ＭＯパラメータがオフ（第２の状態）であればそのまま、送出先のバスに入力される。
【００３６】
なお、図３には、１つの入力ｃｈ４０の構成のみを詳細に示したが、他の２３の入力ｃｈも同様な構成を有し、ＳＴバス６０及び各ＭＩＸバス７０では、それら２４の入力ｃｈから入力する信号を混合することができる。
ここで、各グループのバスのタイプは、ユーザが任意に設定可能であり、ユーザの指示に従ってタイプ設定手段として機能するＣＰＵ１１が設定するものである。
【００３７】
デジタルミキサ１０の一つの特徴は、以上のように、ＭＩＸバス７０のタイプとしてＭＩＸ＿ＭＩＮＵＳを設定可能とし、このタイプのバスへの信号入力につき、ＭＯスイッチ５５の操作により、任意の数の入力ｃｈの信号を容易に除外でき、また、ＭＯＬフェーダ５６の操作により、除外しようとした入力ｃｈの信号を、完全に除くのではなく、所望のレベルだけ減衰させてＭＩＸバスへ入力する設定を容易に行えるようにした点である。
そこで、以下、入力ｃｈ４０からこのＭＩＸ＿ＭＩＮＵＳタイプのＭＩＸバスへの信号送出に使用するパラメータの値の表示及び編集の態様や、それらに必要な処理について、他のタイプのＭＩＸバスに関するパラメータの表示や編集の場合と合わせて説明する。
【００３８】
まず、デジタルミキサ１０のコンソールの構成について説明する。
図４は、そのコンソールの概略構成を示す図である。
デジタルミキサ１０は、図４に示すような構成のコンソール１００を有しており、この上に、タッチスクリーン１１０，割当ｃｈストリップ部１２０，入力レイヤ選択スイッチ１３１，出力レイヤ選択スイッチ１３２，ロータリーエンコーダ１３３，センドレベル設定部１４０をはじめとする各種のユーザインタフェースを設けている。これらの各構成要素は、図１における表示器１５及び操作子１６に対応するものである。
【００３９】
このうちタッチスクリーン１１０は、ＬＣＤにタッチパネルを積層し、信号処理に使用するパラメータの値の参照や設定の受付を行うためのＧＵＩを表示すると共に、ユーザからの操作を受け付ける手段である。
割当ｃｈストリップ部１２０は、入力ｃｈ又は出力ｃｈの１ｃｈ分のパラメータの値を設定するためのｃｈストリップを８つ有し、その各ｃｈストリップに、入力レイヤ選択スイッチ１３１及び出力レイヤ選択スイッチ１３２の操作に応じたレイヤのｃｈを割り当てて、そのｃｈのパラメータを設定するための操作子として使用するセクションである。
【００４０】
そして、各ｃｈストリップは、ｃｈノブ１２１，選択スイッチ１２２，オンスイッチ１２３，フェーダ１２４を備えている。
このうち、ｃｈノブ１２１は、ノブの回転量を操作量として検出することができるロータリーエンコーダである。そして、詳細な説明は省略するが、このｃｈノブ１２１には、タッチスクリーン１１０に表示させる画面上の操作子を割り当て、その操作子と対応するパラメータの値の設定に使用することができる。
【００４１】
選択スイッチ１２２は、対応するｃｈの選択／非選択を設定するための操作子である。デジタルミキサ１０のＣＰＵ１１は、ユーザによる選択スイッチ１２２の操作に従って、操作された選択スイッチ１２２が属するｃｈストリップと対応するｃｈを選択すると共に、それまでに選択されていたｃｈの選択を解除する。
オンスイッチ１２３は、対応するｃｈのオン／オフ（ｃｈストリップに入力ｃｈが割り当てられている場合には、図３に示したオンスイッチ４５のオン／オフ）を設定するための操作子である。
【００４２】
フェーダ１２４は、対応するｃｈの信号レベル（ｃｈストリップに入力ｃｈが割り当てられている場合には、図３に示したｃｈフェーダ４４におけるレベルの調整内容）を設定するための操作子である。
また、フェーダ１２４のつまみはモータにより駆動可能であり、デジタルミキサ１０のＣＰＵ１１は、レイヤの変更、パラメータ値の読み出し、別の操作子によるパラメータの編集など、フェーダ１２４と対応するパラメータの値に変更があった場合に、モータを駆動して、つまみを変更後の値と対応する位置に移動させる。
【００４３】
次に、入力レイヤ選択スイッチ１３１及び出力レイヤ選択スイッチ１３２は、割当ｃｈストリップ部１２０の各ｃｈストリップに入力ｃｈ４０あるいはＭＩＸ出力ｃｈ８２を割り当てるレイヤを排他的に選択するためのスイッチである。
入力レイヤ選択スイッチ１３１としては、２４の入力ｃｈ４０を８つずつに分け、１〜８番目，９〜１６番目，１７〜２４番目の入力ｃｈを各ｃｈストリップに割り当てるレイヤを選択するための３つの操作子を設けている。
【００４４】
出力レイヤ選択スイッチ１３２としては、１２のＭＩＸ出力ｃｈ８２を６つずつに分け、１〜６番目及び７〜１２番目のＭＩＸ出力ｃｈを１〜６番目のｃｈストリップに割り当てるレイヤを選択するための２つの操作子を設けている。これらの割り当てを行う場合、７番目と８番目のｃｈストリップは、対応するｃｈなしとなる。
ロータリーエンコーダ１３３は、種々のパラメータを割り当ててそのパラメータの編集に用いることができる共用の操作子である。例えば、タッチスクリーン１１０に表示させる画面中のノブのシンボルをタッチすることにより、対応するパラメータをロータリーエンコーダ１３３に割り当てることができる。
【００４５】
次に、センドレベル設定部１４０は、入力ｃｈからＭＩＸバスへ送出する信号のセンドレベルを設定するための操作子を集めた部分であり、１２系統の各ＭＩＸバス７０と対応する１２のセンドノブ１４１を設けている。
センドノブ１４１はロータリーエンコーダであり、回転操作により、現在選択されている入力ｃｈからノブと対応する系統のＭＩＸバスへ出力する信号のレベルパラメータを増減することができる。具体的にどのパラメータを増減するかはバスのタイプによって異なる。
【００４６】
まず、ＦＩＸモードの場合には送出経路にレベルパラメータがないためセンドノブ１４１の操作は無効である。ＶＡＲＩモードの場合には、センドノブ１４１の操作に応じて、センドレベルフェーダ５３と対応するＳＬパラメータを増減する。ＭＩＸ＿ＭＩＮＵＳモードの場合には、ＭＯスイッチ５５と対応するＭＯ＿ＯＮパラメータの値がオンの場合には、センドノブ１４１の操作に応じて、ＭＯＬフェーダ５６と対応するＭＯＬパラメータを増減する。ＭＯ＿ＯＮパラメータの値がオフの場合には、ＭＯＬフェーダ５６は実質的に使用しないため、レベルパラメータを調整する必要がないので、センドノブ１４１の操作を無効としている。
【００４７】
また、センドノブ１４１は押下操作も可能であり、センドノブ１４１を短時間押下操作することにより、タッチスクリーン１１０上に、選択されている入力ｃｈから各ＭＩＸバスへの出力の設定に関する表示を行うための、後述する送出設定表示部２２０を表示させることができる。
【００４８】
次に、タッチスクリーン１１０に表示させる画面のうち、入力ｃｈ４０からＭＩＸバス７０への信号送出経路の信号処理に用いるパラメータの設定に関連するものについて説明する。
まず図５に、バスのタイプの設定を受け付けるためのＭＩＸバス設定画面の例を示す。
この図に示すＭＩＸバス設定画面１５０は、上述のタッチスクリーン１１０にユーザの操作に応じて表示させるＧＵＩであり、ＭＩＸバスのグループ毎に、そのグループのバスについて設定されているタイプを表示すると共に、タイプの設定操作を受け付けるためのバスタイプ設定部１６０を有する。
【００４９】
そして、このバスタイプ設定部１６０に設けたＶＡＲＩボタン１６１、ＦＩＸボタン１６２及びＭＩＸ＿ＭＩＮＵＳボタン１６３により、ＶＡＲＩタイプ，ＦＩＸタイプ及びＭＩＸ＿ＭＩＮＵＳタイプについての表示及び設定操作受け付けを行う。
なお、バスのタイプは、「送出先のバスについて」設定するものであり、入力ｃｈ毎に設定するものではない。そして、バスのタイプが変更された場合には、これに応じて、全ての入力ｃｈにおいて、そのグループのＭＩＸバスに対する信号送出経路の構成が変更されることになる。
【００５０】
また、この変更がなされた場合、各入力ｃｈのパラメータ中に、設定が変更された組のＭＩＸバスに対する出力経路に関するパラメータとして、変更後のタイプと対応する種類のパラメータを記憶する領域が用意され、その各パラメータの値として、表１に示すように所定の初期値が設定される。なお、ＭＯＬフェーダ５６のゲインについては、後述のように対応するＭＯスイッチ５５がオンになった時点で「−∞」に設定されるため、初期値は何でもよい。また、ＭＯスイッチ５５がオンになるまでの任意の時点で「−∞」に設定してもよい。
【００５１】
【表１】
2011071803.tif 000003
【００５２】
次に図６に、入力ｃｈ画面の例を示す。
この入力ｃｈ画面２００は、入力ｃｈ４０における信号処理に使用するパラメータとして現在設定されている内容を表示し、また設定に関する操作を受け付けるためのＧＵＩ画面である。そして、入力レイヤ選択スイッチ１３１においていずれかのレイヤが選択されると、そのレイヤによって割当ｃｈストリップ部１２０に割り当てる入力ｃｈに関する入力ｃｈ画面２００を、タッチスクリーン１１０に表示させるようにしている。図６には、１〜８番目の入力ｃｈを割り当てた場合の画面例を示している。
【００５３】
このような入力ｃｈ画面２００は、各入力ｃｈと対応するｃｈスロット２１０を備え、各ｃｈスロット２１０に、対応するｃｈに関する内容を表示するものである。また、画面の左側には送出設定表示部２２０を、右側には選択ｃｈ表示部２４０を設け、それぞれ現在選択されているｃｈに関する情報を表示している。
そして、各ｃｈスロット２１０には、ｃｈ名ブロック２１１，アッテネータブロック２１２，周波数特性ブロック２１３，コンプレッサブロック２１４，センドレベルブロック２１５，パンブロック２１７を設けている。
【００５４】
このうち、ｃｈ名ブロック２１１は、ｃｈの番号，名称及び用途等を表示するブロックである。
アッテネータブロック２１２は、図３に示したアッテネータ４１のパラメータである減衰量の値をつまみ２１２ａの向きにより表示する表示部である。
周波数特性ブロック２１３は、イコライザ４２の周波数特性を、パラメータの現在値に基づいてグラフで表示するブロックである。
【００５５】
コンプレッサブロック２１４は、コンプレッサ４３のパラメータであるスレッショルドの値を表示すると共に、リアルタイム値である入力レベルとゲインのリダクション量をグラフ表示するブロックである。
また、これらの各ブロックについては、タッチスクリーン１１０においてブロック内にタッチ操作があった場合、タッチスクリーン１１０に、操作されたブロックと対応する不図示の別のＧＵＩ画面を表示させるようにしている。
【００５６】
センドレベルブロック２１５は、対応する入力ｃｈからＭＩＸバス７０の各系統へ出力する経路において行う信号処理の状態を、出力先のバスのタイプに応じた出力内容シンボル２１６ａ〜２１６ｄ（総称する場合には符号２１６を用いる）により表示する表示部である。出力内容シンボル２１６は、１２系統のＭＩＸバス７０への出力経路に対応して１２個設けている。
【００５７】
そして、ＦＩＸタイプのバスについてはオンパラメータ（ON1又はON2）のオンオフを示す出力内容シンボル２１６ａを表示する。図では枠線の太いシンボルがオン、細いシンボルがオフを示す。ＶＡＲＩタイプのバスについては、オンパラメータの値がオフの場合には、各バス共通のオフ色で、オンパラメータの値がオンの場合には、送出先のバス毎に定められたオン色で、ＳＬパラメータの値をその向きにより表示する出力内容シンボル２１６ｂ（オフ色），２１６ｃ（オン色）を表示する。ＭＩＸ＿ＭＩＮＵＳタイプのバスについては、ＭＯ＿ＯＮパラメータのオンオフを表示する出力内容シンボル２１６ｄを表示する。
【００５８】
ここで、オン色とは、ユーザがバス毎又はバスセット毎に選択して定義する有彩色である。バス毎に予め定義された有彩色でもよい。例えば、赤、黄、緑、青などである。そして、ユーザはバスのオン色を見て、そのバスが何れのバスであるかを認識できる。また、バスのタイプを変えても、対応するバスの選択色は変わらない。
また、オフ色とは、予め定義された無彩色であり、例えばグレーやダークグレーである。ユーザは、バスのオフ色を見て、そのバスに対して音響信号が送出されていないことを認識できる。なお、各バスのオン色と同じ色相で彩度を落とした色としてもよい。あるいは、オン色と同じ色相で明度を下げた色としてもよい。
【００５９】
パンブロック２１７は、図３に示したパン４７について設定されている音像定位位置を、つまみ２１７ａの向きにより表示する表示部である。
また、送出設定表示部２２０は、選択されている入力ｃｈから各ＭＩＸバスへの出力の設定内容を表示すると共に、その変更操作を受け付けるための画面であり、図４に示したセンドノブ１４１の操作に応じて１番目のｃｈスロット２１０の左側に表示される。なお、表示される画面は、１２あるセンドノブ１４１のいずれが操作された場合でも同じである。
【００６０】
そして、送出設定表示部２２０には、ｃｈ番号表示部２２１及び各ＭＩＸバスに対応する送出設定部２３０を備える。
このうちｃｈ番号表示部２２１は、現在選択されている入力ｃｈの番号を表示するブロックである。
【００６１】
送出設定部２３０は、対応するバスのタイプによって異なる構成である。
まず対応するバスがＦＩＸタイプの場合には、センドレベルシンボル２３１及びセンドオンボタン２３２を備える。
このうちセンドオンボタン２３２は、現在選択されている入力ｃｈから送出設定部２３０と対応するＭＩＸバスへの信号出力経路におけるセンドオンスイッチ５１のオンオフ（ＯＮパラメータの値）を表示するボタン表示部である。このボタンへのタッチにより、オンオフをトグルで切り換える操作も可能である。
【００６２】
一方センドレベルシンボル２３１は、レベル表示部であり、他のモードではセンドレベルの表示に用いるが、ＦＩＸモードの場合にはセンドレベルパラメータがないため、選択されている入力ｃｈから対応するバスに対して信号が送出されるか否かを表示する表示部として用いる。具体的には、対応するセンドオンスイッチがオンである場合には、対応するバスのバス番号により、そのバスに信号が（レベル調整されずに）送出されることを表示する。また、センドオンスイッチがオフである場合には、ハッチングにより対応するバスに信号が送出されないことを表示する。
【００６３】
次に、対応するバスがＶＡＲＩタイプの場合には、送出設定部２３０は、センドレベルシンボル２３３、ＰＲＥ／ＰＯＳＴボタン２３４、およびセンドオンボタン２３５を備える。これらはそれぞれ、現在選択されている入力ｃｈから送出設定部２３０と対応するＭＩＸバスへの信号出力経路におけるセンドレベルフェーダ５３，ＰＲＥ／ＰＯＳＴスイッチ５２及びセンドオンスイッチ５４の状態（ＳＬパラメータ、ＰＲＥパラメータ及びＯＮパラメータの値）を表示する表示部である。
【００６４】
またこのうち、センドレベルシンボル２３３については、対応するセンドオンスイッチがオンである場合には、出力内容シンボル２１６ｃの場合と同様な、送出先のバス毎に定義されたオン色で、オフである場合には、出力内容シンボル２１６ｂの場合と同様な、各バス共通に定義されたオフ色で、センドレベルフェーダ５３の状態を表示し、センドレベルシンボル２３３だけを見て信号送出有無及び送出有りの場合の送出先も認識できるようにしている。
また、ＰＲＥ／ＰＯＳＴボタン２３４及びセンドオンボタン２３５は、対応するスイッチの切替操作を受け付ける操作部でもある。センドレベルフェーダ５３と対応するＳＬパラメータの値については、上述の通りセンドノブ１４１の回転操作により設定することができる。
【００６５】
次に、対応するバスがＭＩＸ＿ＭＩＮＵＳタイプの場合には、送出設定部２３０は、センドレベルシンボル２３６及びマイナスワンボタン２３７を備える。これらはそれぞれ、現在選択されている入力ｃｈから送出設定部２３０と対応するＭＩＸバスへの信号出力経路におけるＭＯＬフェーダ５６及びＭＯスイッチ５５の状態（ＭＯＬパラメータ及びＭＯ＿ＯＮパラメータの値）を表示する表示部である。
【００６６】
そして、センドレベルシンボル２３６は、対応するＭＯスイッチ５５がオンの場合には、ＶＡＲＩタイプにおけるセンドオンスイッチ５４がオンの場合と同様に、バス毎に定義されたオン色により、ＭＯＬパラメータの値を表示して、送出される信号のレベルをユーザが認識できるようにする。一方、ＭＯスイッチ５５がオフの場合には、ＭＯＬパラメータの値は表示せず、ＦＩＸタイプにおけるセンドオンスイッチ５１がオンの場合と同様に、信号レベルではなく対応するバスのバス番号を表示して、そのバスに信号がレベル調整されずに送出されることをユーザが認識できるようにする。
【００６７】
以上の送出設定部２３０におけるセンドレベルシンボル２３１，２３３，２３６の表示態様をまとめると、以下の表２に示す通りである。
【表２】
2011071803.tif 000004
【００６８】
また、選択ｃｈ表示部２４０は、現在選択されている入力ｃｈにつき、種々の情報の表示や操作の受付を行うための部分であり、例えばボタン２４１やメータ２４２を備えるが、この部分はこの実施形態の特徴と関係が薄いため、詳細な説明は省略する。
【００６９】
次に、デジタルミキサ１０における、信号処理に使用するパラメータの記憶形式について説明する。
デジタルミキサ１０においては、上述のように、ＤＳＰ１８における信号処理に使用するパラメータの値を、カレントメモリに記憶させている。そこで、図７に、このカレントメモリに記憶させるデータの構成を示す。
【００７０】
図７に示すように、カレントメモリに記憶させるデータは、大きく分けて、入力パッチ３３の動作に関するパラメータである入力パッチパラメータ、入力ｃｈ４０の動作に関するパラメータである入力ｃｈパラメータ、ＳＴ出力ｃｈ８１及びＭＩＸ出力ｃｈ８２の動作に関するパラメータである出力ｃｈパラメータ、出力パッチ３４の動作に関するパラメータである出力パッチパラメータ、デジタルミキサ１０における信号処理の構成を規定する設定内容を示すセットアップパラメータ、およびその他のパラメータである。
そしてこのうち、入力ｃｈパラメータ及びセットアップパラメータの一部が、この実施形態の特徴に関連する部分であるので、これらについてより詳細に説明する。
【００７１】
まず、入力ｃｈパラメータとしては、２４ｃｈある入力ｃｈ４０のそれぞれについて、図３に示した各信号処理要素で用いるパラメータの値が記憶される。
この各ｃｈについてのパラメータには、アッテネータ４１での処理に用いるアッテネータパラメータ、イコライザ４２での処理に用いるイコライザパラメータ、コンプレッサ４３での処理に用いるコンプレッサパラメータ、ｃｈフェーダ４４での処理に用いるフェーダパラメータ、およびオンスイッチ４５での処理に用いるオンパラメータが含まれる。
また、ＳＴバスへの送出パラメータ（ＳＴバス送出パラメータ）には、ＴＯ＿ＳＴスイッチ４６のオンパラメータ、およびパン４７の音像定位位置の値を示すパンパラメータが含まれる。
【００７２】
さらに、各入力ｃｈについてのパラメータには、ＭＩＸバス７０への信号送出経路の処理において用いるＭＩＸバス送出パラメータも含まれる。このＭＩＸバスについての送出パラメータの記憶領域は、バスのグループ毎に用意されているが、実際に値が記憶されるパラメータの種類や内容は、上述の通りＭＩＸバスのタイプによって異なり、表１に示した通りである。
【００７３】
また、セットアップパラメータには、各グループのＭＩＸバスのタイプを指定する情報であるＭＩＸバスタイプが含まれる。そして、このＭＩＸバスタイプの内容が変更された場合に、それに合わせて入力ｃｈパラメータ中の各入力ｃｈに関するＭＩＸバス送出パラメータの領域に記憶すべきパラメータの種類や数も変更される。
これ以外の部分については、この実施形態の特徴と関係ないため、説明を省略する。
【００７４】
次に、デジタルミキサ１０において各部の操作に応じてＣＰＵ１１が実行する特徴的な処理について説明する。ここで説明する処理は、入力ｃｈ４０からＭＩＸバス７０に対する信号出力経路に関するパラメータの設定及び、これに応じたセンドレベルブロック２１５及び送出設定表示部２２０の表示に関する制御である。また、割当ｃｈストリップ部１２０には入力ｃｈ４０が割り当てられているものとし、他のｃｈ（ＭＩＸ出力ｃｈ８２等）が割り当てられている場合に関する処理については説明を省略する。
【００７５】
まず、図８に、図５に示したＭＩＸバス設定画面１５０においてバスタイプ設定部１６０のいずれかのボタン対する操作があった場合の処理を示す。
ＣＰＵ１１は、ｂｐ番目のバスタイプ設定部１６０においていずれかのボタン対するタッチ操作を検出すると、図８のフローチャートに示す処理を開始する。
そしてまず、第ｂｐグループのＭＩＸバスのタイプＢＴ（ｂｐ）として、タッチされたボタンに対応するバスタイプを設定する（Ｓ１１）。そして、全入力ｃｈの入力ｃｈパラメータ中の、第ｂｐグループのＭＩＸバスの送出パラメータとして、ステップＳ１１で設定したタイプに応じた初期値（表１参照）をカレントメモリに設定する（Ｓ１２）。
【００７６】
その後、入力ｃｈ画面２００を表示中であれば、各ｃｈスロット２１０のセンドレベルブロック２１５における第ｂｐグループのＭＩＸバスと対応する出力内容シンボルの表示を、ステップＳ１１で設定したタイプ（及びステップＳ１２で設定した初期値）に応じた内容に更新する（Ｓ１３）。また、送出設定表示部２２０を表示中であれば、第ｂｐグループのＭＩＸバスと対応する送出設定部２３０の表示も、後述する図９の処理により、同様に更新する（Ｓ１４）。
そして、ステップＳ１２で設定したパラメータの値に従った信号処理を行わせるための係数をＤＳＰ１８に設定し（Ｓ１５）、処理を終了する。
以上の処理により、ＣＰＵ１１はユーザの指示に応じてＭＩＸバスのタイプを設定すると共に、ＤＳＰ１８にそのタイプに応じた信号処理を行わせることができる。
【００７７】
次に、図９に、１本のＭＩＸバスと対応する送出設定部２３０を表示する場合の処理を示す。
ＣＰＵ１１は、新規に送出設定表示部２２０の表示を行ったり、図８の処理でＭＩＸバスのタイプを変更したりして新規に送出設定部２３０の表示する場合、図９に示す処理を開始する。この処理は、第ＳＣ入力ｃｈが選択されている状態で、ｍｂ番目のＭＩＸバスについての送出設定部２３０の表示を行う処理である。
【００７８】
図９の処理においては、ＣＰＵ１１は、ｍｂ番目のＭＩＸバスが属する第ｂｐグループのタイプＢＴ（ｂｐ）を参照し（Ｓ２１）、そのタイプに応じた表示処理を行う。
ＦＩＸタイプの場合には、第ＳＣ入力ｃｈのｍｂ番目のＭＩＸバスについてのＯＮパラメータの値を、センドオンボタン２３２によりタッチスクリーン１１０に表示させ（Ｓ２２）、またそのＯＮパラメータの値に応じた態様でセンドレベルシンボル２３１を表示させて（Ｓ２３）、処理を終了する。ここでは、センドレベルシンボル２３１の表示は、ＯＮパラメータの値がオンならバス番号、オフならハッチングにより行う。
【００７９】
次に、ＶＡＲＩタイプの場合には、第ＳＣ入力ｃｈのｍｂ番目のＭＩＸバスについてのＰＲＥパラメータの値（ＰＲＥ／ＰＯＳＴ）及びＯＮパラメータの値を、ＰＲＥ／ＰＯＳＴボタン２３４及びセンドオンボタン２３５によりそれぞれタッチスクリーン１１０に表示させる（Ｓ２４，Ｓ２５）と共に、そのＯＮパラメータの値に応じた色で、同ＭＩＸバスについてのＳＬパラメータの値を示すセンドレベルシンボル２３３を表示させて（Ｓ２６）、処理を終了する。ここでは、センドレベルシンボル２３３の表示は、ＯＮパラメータの値がオンならバス毎に定義されているオン色、オフなら各バス共通に定義されたオフ色により行う。
【００８０】
また、ＭＩＸ＿ＭＩＮＵＳタイプの場合には、まず、第ＳＣ入力ｃｈのｍｂ番目のＭＩＸバスについてのＭＯ＿ＯＮパラメータの値を、マイナスワンボタン２３７によりタッチスクリーン１１０に表示させる（Ｓ２７）。その後、そのＭＯ＿ＯＮパラメータの値がオンであれば（Ｓ２８）、同ＭＩＸバスについてのＭＯＬパラメータの値を示すセンドレベルシンボル２３６を、ステップＳ２６の場合と同じくバス毎に定義されているオン色で表示させ（Ｓ２９）、ＭＯ＿ＯＮパラメータの値がオフであれば、送出先のバス番号（ｍｂ）を示すセンドレベルシンボル２３６を表示させて（Ｓ３０）、処理を終了する。ステップＳ３０での表示は、ＯＮパラメータの値がオンである場合のステップＳ２３の表示と、同じ態様となる。
【００８１】
以上の処理により、ＣＰＵ１１は、タッチスクリーン１１０において、図６を用いて説明した態様で、１つの送出設定部２３０を送出設定表示部２２０内に表示させることができる。複数の送出設定部２３０を表示させる場合には、図９の処理を複数回行う。また、送出設定表示部２２０のうち送出設定部２３０以外を表示させる処理については説明を省略する。
【００８２】
次に、図１０に、ＯＮパラメータの値を変更する操作があった場合の処理を示す。
ＣＰＵ１１は、センドオンボタン２３２又は２３５へのタッチ、出力内容シンボル２１６ａへのタッチ等、いずれかの信号送出経路におけるＯＮパラメータの値を変更する操作を検出した場合に、図１０のフローチャートに示す処理を開始する。この処理は、第ｉ入力ｃｈのｍｂ番目のＭＩＸバスについてのＯＮパラメータの変更操作を検出した場合の処理である。
【００８３】
図１０の処理において、ＣＰＵ１１はまず、変更操作を検出したＯＮパラメータの値を反転させる（Ｓ３１）。そして、入力ｃｈ画面２００におけるｉ番目のｃｈスロットのｍｂ番目のＭＩＸバスと対応する出力内容シンボル２１６の表示を、反転後のＯＮパラメータの値に従って、図６を用いて説明した態様及び内容に更新し（Ｓ３２）、ステップＳ３１での反転後のＯＮパラメータの値に従った信号処理を行わせるための係数をＤＳＰ１８に設定する（Ｓ３３）。
その後、タッチスクリーン１１０に送出設定表示部２２０を表示中でなければ（Ｓ３４）、そのまま処理を終了するが、表示中であれば、ステップＳ３５以下の、送出設定表示部２２０の表示更新に関する処理に進む。
【００８４】
ここではまず、ｍｂ番目のＭＩＸバスについての（該ＭＩＸバスと対応する送出設定部２３０における）センドオンボタンの表示を、反転後のＯＮパラメータの内容に応じた状態に変更する（Ｓ３５）。そして、ｍｂ番目のＭＩＸバスが属する第ｂｐグループのタイプＢＴ（ｂｐ）を参照し（Ｓ３６）、そのタイプに応じたセンドレベルシンボルの表示更新処理を行って、処理を終了する。ＭＩＸ＿ＭＩＮＵＳタイプではＯＮパラメータは存在しないため、ここでの選択肢はＦＩＸタイプ又はＶＡＲＩタイプである。そして、ＦＩＸタイプの場合には、ｍｂ番目のＭＩＸバスについてのセンドレベルシンボル２３１の表示態様を、反転後のＯＮパラメータの値に従い、オンならバス番号、オフならハッチングに変更する（Ｓ３７）。ＶＡＲＩタイプの場合には、ｍｂ番目のＭＩＸバスについてのセンドレベルシンボル２３３の色を、反転後のＯＮパラメータの値に従い、オンならバス毎に定義されたオン色、オフなら共通のオフ色に変更する（Ｓ３８）。
【００８５】
以上の処理により、ＣＰＵ１１は、ユーザの操作に応じてＯＮパラメータの値を変更すると共に、タッチスクリーン１１０に表示させる画面の内容を、その変更後の値に従った内容に更新することができる。
【００８６】
次に、図１１に、ＳＬパラメータの値を変更する操作があった場合の処理を示す。
ＣＰＵ１１は、ＦＩＸタイプのＭＩＸバスと対応するセンドノブ１４１の回転操作等、いずれかの信号送出経路におけるＳＬパラメータの値を変更する操作を検出した場合に、図１１のフローチャートに示す処理を開始する。この処理は、第ｉ入力ｃｈのｍｂ番目のＭＩＸバスについてのＳＬパラメータの変更操作を検出した場合の処理である。
【００８７】
図１１の処理において、ＣＰＵ１１はまず、変更操作を検出したＳＬパラメータの値を、検出した操作量に応じて変更する（Ｓ４１）。そして、対応するＯＮパラメータの値がオンであれば（Ｓ４２）、入力ｃｈ画面２００におけるｉ番目のｃｈスロットのｍｂ番目のＭＩＸバスと対応する出力内容シンボル２１６ｃの表示を、変更後のＳＬパラメータの値を示すものに更新する（Ｓ４３）。ＯＮパラメータの値がオフである場合には、出力内容シンボル２１６ｂではＳＬパラメータの値は表示していないため、更新は不要であり、行わない。
そして、いずれの場合も、ステップＳ４１での反転後のパラメータの値に従った信号処理を行わせるための係数をＤＳＰ１８に設定する（Ｓ４４）。
【００８８】
その後、タッチスクリーン１１０に送出設定表示部２２０を表示中でなければ（Ｓ４５）、そのまま処理を終了するが、表示中であれば、ｍｂ番目のＭＩＸバスについてのセンドレベルシンボル２３３の表示を、変更後のＳＬパラメータの値を示すものに変更して送出設定表示部２２０の表示を更新して（Ｓ４６）、処理を終了する。この場合、センドレベルシンボル２３３の色は変更しない。また、ＳＬパラメータが存在するのはＶＡＲＩタイプの場合のみであるので、ここではタイプに応じた場合分けは行っていない。
【００８９】
以上の処理により、ＣＰＵ１１は、ユーザの操作に応じてＳＬパラメータの値を変更すると共に、タッチスクリーン１１０に表示させる画面の内容を、その変更後の値に従った内容に更新することができる。
【００９０】
次に、図１２に、ＭＯ＿ＯＮパラメータの値を変更する操作があった場合の処理を示す。
ＣＰＵ１１は、マイナスワンボタン２３７へのタッチ、出力内容シンボル２１６ｄへのタッチ等、いずれかの信号送出経路におけるＭＯ＿ＯＮパラメータの値を変更する操作を検出した場合に、図１２のフローチャートに示す処理を開始する。この処理は、第ｉ入力ｃｈのｍｂ番目のＭＩＸバスについてのＭＯ＿ＯＮパラメータの変更操作を検出した場合の処理である。
【００９１】
図１２の処理において、ＣＰＵ１１はまず、変更操作を検出したＭＯ＿ＯＮパラメータの値を反転させる（Ｓ５１）。そして、入力ｃｈ画面２００におけるｉ番目のｃｈスロットのｍｂ番目のＭＩＸバスと対応する出力内容シンボル２１６ｄの表示を、反転後のＭＯ＿ＯＮパラメータの値を示すものに更新する（Ｓ５２）。この場合において、他の入力ｃｈのＭＯ＿ＯＮパラメータの値を参照する必要はなく、特定のＭＩＸバスについて、複数の入力ｃｈに関するＭＯ＿ＯＮパラメータの値が同時にオンになってもよい。
【００９２】
そして、反転後のＭＯ＿ＯＮパラメータの値がオンである場合、すなわちＭＯ＿ＯＮパラメータの値をオフからオンに変更した場合は（Ｓ５３）、対応するＭＯＬパラメータの値に、初期値として最小値（−∞）を設定する（Ｓ５４）。これは、ＭＯスイッチ５５をオンにするのみで、対応する入力ｃｈの信号を、ＭＩＸバスへの入力信号から除外できるようにするため、すなわち、ＭＯＬフェーダ５６により入力音響信号をゼロレベルにして伝送経路遮断と同様な効果を得られるようにするためである。逆に、反転後のＭＯ＿ＯＮパラメータの値がオフである場合は、ＭＯＬフェーダ５６は使用しない状態になるため、この時点でＭＯＬパラメータの値を変更する必要はなく、ここでは変更処理は行わない。
【００９３】
いずれの場合も、ステップＳ５１及びＳ５４での変更後の各パラメータの値に従った信号処理を行わせるための係数をＤＳＰ１８に設定する（Ｓ５５）。
その後、タッチスクリーン１１０に送出設定表示部２２０を表示中でなければ（Ｓ５６）、そのまま処理を終了するが、表示中であれば、ステップＳ５７以下の、送出設定表示部２２０の表示更新に関する処理に進む。
【００９４】
ここではまず、ｍｂ番目のＭＩＸバスについてのマイナスワンボタン２３７の表示を、反転後のＭＯ＿ＯＮパラメータの内容に応じた状態に変更する（Ｓ５７）。また、反転後のＭＯ＿ＯＮパラメータの値がオンであれば（Ｓ５８）、ｍｂ番目のＭＩＸバスについてのセンドレベルシンボル２３６を、対応するＭＯＬパラメータの値を示すバス毎に定義されたオン色のシンボルに変更して（Ｓ５９）処理を終了する。反転後のＭＯ＿ＯＮパラメータの値がオフであれば、同センドレベルシンボル２３６を、対応するバス番号（ｍｂ）を示すシンボルに変更して（Ｓ６０）処理を終了する。ＭＯ＿ＯＮパラメータが存在するのはＭＩＸ＿ＭＩＮＵＳタイプの場合のみであるので、ここでもタイプに応じた場合分けは行っていない。
【００９５】
以上の処理により、ＣＰＵ１１は、ユーザの操作に応じてＭＯ＿ＯＮパラメータの値を変更すると共に、対応するＭＯＬパラメータの値及びタッチスクリーン１１０に表示させる画面の内容を、その変更後の値に従った内容に更新することができる。
【００９６】
次に、図１３に、ＭＯＬパラメータの値を変更する操作があった場合の処理を示す。
ＣＰＵ１１は、ＭＩＸ＿ＭＩＮＵＳタイプのＭＩＸバスと対応するセンドノブ１４１の回転操作等、いずれかの信号送出経路におけるＭＯＬパラメータの値を変更する操作を検出した場合に、図１３のフローチャートに示す処理を開始する。この処理は、第ｉ入力ｃｈのｍｂ番目のＭＩＸバスについてのＭＯＬパラメータの変更操作を検出した場合の処理である。
【００９７】
図１３の処理において、ＣＰＵ１１はまず変更操作を検出したＭＯＬパラメータの値を、検出した操作量に応じて変更する（Ｓ６１）と共に、ステップＳ６１での変更後のパラメータの値に従った信号処理を行わせるための係数をＤＳＰ１８に設定する（Ｓ６２）。
その後、タッチスクリーン１１０に送出設定表示部２２０を表示中でなければ（Ｓ６３）、そのまま処理を終了するが、表示中であれば、ステップＳ６４以下の、送出設定表示部２２０の表示更新に関する処理に進む。
【００９８】
そしてここでは、ステップＳ６１で変更したＭＯＬパラメータと対応するＭＯ＿ＯＮパラメータの値がオンであれば（Ｓ６４）、ｍｂ番目のＭＩＸバスについてのセンドレベルシンボル２３６の表示を、変更後のＭＯＬパラメータの値を示すものに変更して（Ｓ６５）、処理を終了する。ＭＯ＿ＯＮパラメータの値がオフの場合には、センドレベルシンボル２３６は、対応するバス番号を示すものであり、ＭＯＬパラメータの値は表示していないため、表示の更新は不要であり、そのまま処理を終了する。
【００９９】
以上の処理により、ＣＰＵ１１は、ユーザの操作に応じてＭＯＬパラメータの値を変更すると共に、タッチスクリーン１１０に表示させる画面の内容を、その変更後の値に従った内容に更新することができる。
なお、上述のように、対応するＭＯ＿ＯＮパラメータの値がオフの場合には、センドノブ１４１の操作は無効とするため、図１３の処理が行われる場合にはステップＳ６４では必ず「オン」となるはずであり、この処理は確認的に設けたものである。
【０１００】
また、ＭＯＬパラメータの値は、対応するセンドレベルシンボル２３６にタッチしてそのパラメータをコンソール１００上のロータリーエンコーダ１３３に割り当てた上で、ロータリーエンコーダ１３３を操作して編集したり、対応するセンドレベルシンボル２３６の近傍を、該シンボルを回転させるようなドラッグ操作をして編集したりすることもできる。このような場合も、対応するＭＯ＿ＯＮパラメータの値がオフの場合には、ＭＯＬパラメータの値を編集する操作を無効にするとよい。
ただし、ＭＯ＿ＯＮパラメータの値がオフの状態でＭＯＬパラメータの値を編集できるようにしたとしても、特に不都合はない。この状態でＭＯＬパラメータの値を編集してもその内容は信号処理には反映されず、またＭＯ＿ＯＮパラメータの値がオンになった時点でリセットされてしまうため、編集操作が無駄になるのみである。
【０１０１】
デジタルミキサ１においては、以上説明してきた処理により、ユーザの操作に応じてＭＩＸバス７０の任意の系統をＭＩＸ＿ＭＩＮＵＳタイプに設定し、該系統のＭＩＸバスにおいて、ミキシング結果から任意の１又は複数の入力ｃｈからの音響信号を除外するための設定を容易に行うことができる。また、その入力ｃｈからの音響信号を完全に除外するのではなく、レベルを下げてミキシングする設定も、容易に行うことができる。
【０１０２】
また、このような設定を行った状態で、ユーザは、どのＭＩＸバスにおいてどの入力ｃｈの信号を除外するミキシングを行っているのかを、各ＭＩＸバスに関する設定を参照することで、容易に把握することができる。従って、特定の信号を除外した状態が誤操作により崩されてしまう危険性は低いと言える。
【０１０３】
また、送出設定表示部２２０において、ある入力ｃｈからＭＩＸ＿ＭＩＮＵＳタイプの系統のＭＩＸバスに対する信号出力に関する設定内容を表示する際、ＦＩＸタイプ又はＶＡＲＩタイプに関する表示を行う際の表示態様を流用しているので、バスに設定可能なタイプの数が増えても、パラメータのＭＩＸバス７０の各系統に入力される信号の状態を、ユーザが容易に直感的に把握し易い状態とすることができる。
【０１０４】
すなわち、どちらも同じくレベル調整を行わずに信号を出力する状態であることに注目して、ＭＩＸ＿ＭＩＮＵＳタイプにおけるＭＯ＿ＯＮパラメータオフの状態のセンドレベルシンボルの表示形式を、ＦＩＸタイプにおけるＯＮパラメータオンの状態のものと共通化すると共に、どちらも同じくレベル調整を行って信号を出力する状態であることに注目して、ＭＩＸ＿ＭＩＮＵＳタイプにおけるＭＯ＿ＯＮパラメータオンの状態のセンドレベルシンボルの表示形式を、ＶＡＲＩタイプにおけるＯＮパラメータオンの状態のものと共通化しているため、徒に画面の内容を複雑化することなく、各タイプで必要なパラメータの値を表示することが可能となっている。
【０１０５】
以上で実施形態の説明を終了するが、装置の構成や具体的な処理内容、画面の表示内容、操作方法等が上述の実施形態で説明したものに限られないことはもちろんである。
例えば、上述した実施形態において、レベル調整を行わずに信号を出力することを示す表示を、送出先バスの番号を用いて行ったが、このようにすることは必須ではない。この場合にセンドレベルシンボルの部分で表示すべきパラメータはなく、形状、色、ハッチングなどを如何様にでも設定できるので、任意の態様を用いて表示すればよい。
【０１０６】
また、ＶＡＲＩタイプの場合にはＯＮパラメータがオフの状態でもセンドレベルシンボルによりＳＬパラメータの値を表示するようにしたが、ＦＩＸタイプでＯＮパラメータがオフの場合と同様、信号が送出されない旨のみを表示するようにしてもよい。また、ＶＡＲＩタイプにおけるオン色とオフ色の使い分けも必須ではなく、これらを区別しなくてもよい。また、区別するにしても、ハッチングや模様などで区別してもよい。
また、特定の系統のＭＩＸバスについて複数の入力ｃｈにおいてＭＯ＿ＯＮパラメータの値がオンになっている場合、それらのＭＯ＿ＯＮパラメータと対応するＭＯＬパラメータの値を、ユーザの操作に従って連動して変化させたり、共通の値としたりしてもよい。
【０１０７】
また、上述した実施形態では、ＭＯ＿ＯＮパラメータの値が「オン」の場合にＭＯＬフェーダ５６によるレベル調整を行う例について説明したが、逆に「オフ」の場合にレベル調整を行うようにしても構わない（この場合には、ＭＯ＿ＯＮパラメータの値が「オン」から「オフ」に変更される際に、ＭＯＬパラメータの値を「−∞」に初期化することになる）。
すなわち、ＭＯ＿ＯＮパラメータの値が２つの状態を取り得るものであり、そのうち一方の値の場合に入力ｃｈ４０の信号をそのままＭＩＸバスに供給し、他方の値の場合にレベル調整を行ってからＭＩＸバスに供給するようにすれば、ユーザに与える印象は異なるものの、機能としては、上述した実施形態の場合と同様なものが実現できる。
【０１０８】
また、バスのタイプについて、ＭＩＸ＿ＭＩＮＵＳタイプと他のタイプとが切り換え可能であることは必須ではない。切り替え可能であっても、ＭＩＸ＿ＭＩＮＵＳ以外のタイプとして、ＶＡＲＩとＦＩＸの両方を設定可能である必要はないし、これら以外のタイプを設定可能であっても良い。ＭＩＸ＿ＭＩＮＵＳタイプのバスとして機能し得るバスが最低１系統あれば、任意の１又は複数の入力ｃｈからの音響信号を除外又は減衰するための設定を容易に行うことができるという効果は達成できる。
【０１０９】
また、上述した実施形態では、バス２系統からなるグループ毎にタイプを設定する例について説明したが、このようにすることは必須ではなく、１系統ずつ個別にタイプを設定可能としてももちろん構わない。
また、上述の実施形態では、ＭＩＸバス７０が６グループ１２系統ある例について説明したが、最低限１系統のＭＩＸバスを備えるデジタルミキサ１０について、この発明を適用することができる。
【０１１０】
また、デジタルミキサ１０は、専用ハードウェアによるだけでなく、ＰＣ上で動作させるＤＡＷ（デジタルオーディオワークステーション）アプリケーションの機能としても、実現することができる。
また、以上述べてきた構成及び変形例は、矛盾しない範囲で適宜組み合わせて適用することも可能である。
【産業上の利用可能性】
【０１１１】
以上の説明から明らかなように、この発明のデジタルミキサによれば、複数の入力チャンネルから供給される音響信号をミキシングバスで混合するデジタルミキサにおいて、特定の入力チャンネルから供給される音響信号を除外又は減衰させてミキシングを行う設定を、容易かつ確実に行えるようにすることができる。
従って、この発明を適用することにより、デジタルミキサの操作性を向上させることができる。
【符号の説明】
【０１１２】
１０…デジタルミキサ、１１…ＣＰＵ、１２…フラッシュメモリ、１３…ＲＡＭ、１４…外部機器Ｉ／Ｏ、１５…表示器、１６…操作子、１７…波形Ｉ／Ｏ、１８…ＤＳＰ、１９…システムバス、４０…入力ｃｈ、４４…ｃｈフェーダ、４５…オンスイッチ、４６…ＴＯ＿ＳＴスイッチ、４７…パン、５１，５４…センドオンスイッチ、５２…ＰＲＥ／ＰＯＳＴスイッチ、５３…センドレベルフェーダ、５５…ＭＯスイッチ、５６…ＭＯＬフェーダ、７０…ＭＩＸバス、８２…ＭＩＸ出力ｃｈ、１００…コンソール、１１０…タッチスクリーン、１４０…センドレベル設定部、１４１…センドノブ、１５０…ＭＩＸバス設定画面、１６０…バスタイプ設定部、１６１…ＶＡＲＩボタン、１６２…ＦＩＸボタン、１６３…ＭＩＸ＿ＭＩＮＵＳボタン、２００…入力ｃｈ画面、２１０…ｃｈスロット、２１５…センドレベルブロック、２１６…出力内容シンボル、２２０…送出設定表示部、２３０…送出設定部、２３１，２３３，２３６…センドレベルシンボル、２３２，２３５…センドオンボタン、２３４…ＰＲＥ／ＰＯＳＴボタン、２３７…マイナスワンボタン
【図１】
2011071803.tif 000005
【図２】
2011071803.tif 000006
【図３】
2011071803.tif 000007
【図４】
2011071803.tif 000008
【図５】
2011071803.tif 000009
【図６】
2011071803.tif 000010
【図７】
2011071803.tif 000011
【図８】
2011071803.tif 000012
【図９】
2011071803.tif 000013
【図１０】
2011071803.tif 000014
【図１１】
2011071803.tif 000015
【図１２】
2011071803.tif 000016
【図１３】
2011071803.tif 000017